(57)【特許請求の範囲】
【請求項１】
背板部、座板部、座腿板部、腿板部、足板部、ベッド支持枠、回転軸、及び連杆を含む介護ベッドであって、
前記座板部と前記座腿板部がヒンジ接続され、前記腿板部と前記足板部がヒンジ接続され、
前記背板部、前記座板部及び前記座腿板部が前記ベッド支持枠上に設けられ、前記座板部が前記ベッド支持枠に固定接続され、
前記回転軸が前記ベッド支持枠における前記座腿板部の下方に対応する位置に設けられ、
前記連杆の一端が前記回転軸に枢動可能に接続され、前記連杆の他端が前記足板の下面に可動に接続されることを特徴とする、介護ベッド。
【請求項２】
前記座腿板部と前記腿板部が隙間を空けて接続されるようにヒンジ接続される場合、前記座腿板部と前記腿板部の対向する側面の少なくともに一方には係止ブロックが設けられることを特徴とする、請求項１に記載の介護ベッド。
【請求項３】
前記腿板部は、腿板及び腿足板を含み、
前記腿板と前記腿足板は、シームレスに接続されるように、又は隙間を空けて接続されるように、ヒンジを介して下部で接続され、
前記腿足板と前記足板は、シームレスに接続されるように、又は隙間を空けて接続されるように、ヒンジを介して上部で接続されることを特徴とする、請求項１又は２に記載の介護ベッド。
【請求項４】
前記腿板は、中心腿板、左腿板及び右腿板を含み、前記左腿板及び前記右腿板が前記中心腿板の両側に対称に配置され、
前記腿足板は、中心腿足板、左腿足板及び右腿足板を含み、前記左腿足板及び前記右腿足板が前記中心腿足板の両側に対称に配置され、
前記足板部は、中心足板、左足板及び右足板を含み、前記左足板及び前記右足板が前記中心足板の両側に対称に配置され、
前記連杆は、中心連杆を含み、前記回転軸は、中心回転軸を含み、前記中心連杆の一端が前記中心回転軸に枢動可能に接続され、前記中心連杆が前記中心足板の下面に可動に接続されることを特徴とする、請求項３に記載の介護ベッド。
【請求項５】
前記中心足板の下面の両側には、それぞれ前記左足板及び前記右足板の下方まで延伸する支持バーが設けられることを特徴とする、請求項４に記載の介護ベッド。
【請求項６】
前記左足板の下面に左連杆が設けられ、前記左連杆の一端が前記左足板の下面に可動に接続され、前記ベッド支持枠に前記中心回転軸と同心に接続された左回転軸が設けられ、前記左連杆の他端が前記左回転軸に枢動可能に接続され、
前記右足板の下面に右連杆が設けられ、前記右連杆の一端が前記右足板の下面に可動に接続され、前記ベッド支持枠に前記中心回転軸と同心に接続された右回転軸が設けられ、前記右連杆の他端が前記右回転軸に枢動可能に接続されることを特徴とする、請求項４又は５に記載の介護ベッド。
【請求項７】
前記中心回転軸の２つの端面、前記左回転軸の右端面、及び前記右回転軸の左端面のいずれにも凸歯及び凹溝が設けられ、
前記中心回転軸、前記左回転軸、及び前記右回転軸は、前記凸歯及び前記凹溝を介して同心に接続されることを特徴とする、請求項６に記載の介護ベッド。
【請求項８】
前記座板部は、中心座板、左座板及び右座板を含み、前記左座板及び前記右座板が前記中心座板の両側に対称に配置され、
前記座腿板部は、中心座腿板、左座腿板及び右座腿板を含み、前記左座腿板及び前記右座腿板が前記中心座腿板の両側に対称に配置されることを特徴とする、請求項４から７のいずれか１項に記載の介護ベッド。
【発明の詳細な説明】
【技術分野】
【０００１】
本発明は、介護ベッドに関する。
【背景技術】
【０００２】
現在の介護ベッドは、ほとんど背上げ及び腿上げの機能を有する。腿上げ機能は、患者が横になっている時の快適さを向上させるとともに、救助の際に患者の血液還流量を増加することができため、患者の虚血性救助には非常に重要である。また、起座時の腿下げは、健康の行為であり、患者の快適さを向上でき、血液循環に有利で、肺炎、褥瘡などの疾患を予防、治療することができる。腿上げ及び足下げは、座板の幅に対する要求が異なり、腿上げの場合、体重を腿板及び足板に集中させるために、座板が比較的狭いことが要求される、一方、足下げの場合、患者の快適さの観点から、座板が比較的広いことが要求される。このようにして、人間工学の原理を満たし、患者の健康回復及び心身の喜びに有利である。同一のドライブパターの作用下で腿上げと足下げ時の座板の幅が異なることを要求し、且つ簡単な構造により実現することは非常に困難である。国内外の有名な介護ベッドメーカーの介護バッドは、通常腿上げ機能しか有せず、腿上げと腿下げ機能を兼ね備えたとしても、座板の幅及び腿板の幅が変化しないため、人間工学の要求が満たされず、患者が快適さを感じることができない。また、足下げ機能を有するベッドの端部が宙に浮く必要があることで、ベッド構造の堅牢性及び安定性が影響を受け、介護ベッドの足下げ機能の実現が影響を受ける。
【０００３】
また、起座時の腿下げは、健康の行為であり、患者の快適さを向上でき、血液循環に有利で、肺炎、褥瘡などの疾患を予防、治療することができる。しかし、起座又は起座腿下げ時に、体が滑り落ちやすく、特に着座の姿をコントロールする能力を有しない障害者にとっては安定して座ることがより困難である。しかし、現在は、体の滑り落ちを防止するとともに、起座者の快適さを向上できる介護ベッドがない。
【発明の概要】
【０００４】
上記技術問題の少なくとも一つを解決するために、本発明は、背板部、座板部、座腿板部、腿板部及び足板部を含み、座板部と座腿板部がヒンジ接続され、腿板部と足板部がヒンジ接続され、背板部、座板部、座腿板部、及び座板部に固定接続されたベッド支持枠が設けられ、ベッド支持枠における座腿板部の下方に対応する位置に設けられた回転軸、及び一端が回転軸に枢動可能に接続され、他端が足板の下面に可動に接続された連杆が設けられる介護ベッドを提供しする。
【０００５】
本発明の少なくとも１つの実施形態によれば、座腿板部と腿板部は、シームレスに接続されるように、又は隙間を空けて接続されるように、ヒンジ接続される。
【０００６】
本発明の少なくとも１つの実施形態によれば、座腿板部と腿板部はヒンジを介して下部で接続される。
【０００７】
本発明の少なくとも１つの実施形態によれば、座腿板部と腿板部が隙間を空けて接続されるようにヒンジ接続される場合、座腿板部と腿板部の対向する側面の少なくともに一方には係止ブロックが設けられる。
【０００８】
本発明の少なくとも１つの実施形態によれば、腿板部は、腿板及び腿足板を含み、腿板と腿足板は、シームレスに接続されるように、又は隙間を空けて接続されるように、ヒンジを介して下部で接続され、腿足板と足板は、シームレスに接続されるように、又は隙間を空けて接続されるように、ヒンジを介して上部で接続される。
【０００９】
本発明の少なくとも１つの実施形態によれば、腿板は、中心腿板、左腿板及び右腿板を含み、左腿板及び右腿板が中心腿板の両側に対称に配置され、腿足板は、中心腿足板、左腿足板及び右腿足板を含み、左腿足板及び右腿足板が中心腿足板の両側に対称に配置され、足板部は、中心足板、左足板及び右足板を含み、左足板及び右足板が中心腿板の両側に対称に配置され、連杆は、中心連杆を含み、回転軸は、中心回転軸を含み、中心連杆の一端が中心回転軸に枢動可能に接続され、中心連杆が中心足板の下面に可動に接続される。
【００１０】
本発明の少なくとも１つの実施形態によれば、中心足板の下面の両側には、それぞれ左足板及び右足板の下方まで延伸する支持バーが設けられる。
【００１１】
本発明の少なくとも１つの実施形態によれば、左足板の下面に左連杆が設けられ、左連杆の一端が左足板の下面に可動に接続され、ベッド支持枠に中心回転軸と同心に接続された左回転軸が設けられ、左連杆の他端が左回転軸に枢動可能に接続され、右足板の下面に右連杆が設けられ、右連杆の一端が右足板の下面に可動に接続され、ベッド支持枠に中心回転軸と同心に接続された右回転軸が設けられ、右連杆の他端が右回転軸に枢動可能に接続される。
【００１２】
本発明の少なくとも１つの実施形態によれば、中心回転軸の２つの端面、左回転軸の右端面、及び右回転軸の左端面のいずれにも凸歯及び凹溝が設けられ、中心回転軸、左回転軸、及び右回転軸は、凸歯及び凹溝を介して同心に接続される。
【００１３】
本発明の少なくとも１つの実施形態によれば、座板部は、中心座板、左腿板及び右腿板を含み、左腿板及び右腿板が中心座板の両側に対称に配置され、座腿板部は、中心座腿板、左座腿板及び右座腿板を含み、左座腿板及び右座腿板が中心座腿板の両側に対称に配置される。
【００１４】
本発明の少なくとも１つの実施形態によれば、座板部と座腿板部は、一体に形成される。
【００１５】
本発明の少なくとも１つの実施形態によれば、座板部とベッド支持枠は、ヒンジ接続され、介護ベッドは、水平連杆及び垂直連杆をさらに含み、水平連杆は、背板部に枢動可能に接続され、垂直連杆に可動に接続され、垂直連杆は、ベッド支持枠に回転可能に接続される。
【００１６】
本発明の少なくとも１つの実施形態によれば、背板部及び座板部は、いずれもベッド支持枠に回転可能に接続され、背板部の座板部に近い側面に第１ギア部が設けられ、座板部の背板部に近い側面に第１ギア部に連動する第２ギア部が設けられる。
【００１７】
本発明の少なくとも１つの実施形態によれば、腿板部の座板部に近い端部は、ベッド支持枠にヒンジ接続される。
【００１８】
本発明の少なくとも１つの実施形態によれば、腿板部は、連結杆を介してベッド支持枠にヒンジ接続され、連結杆の腿板部にヒンジ接続された端部には、腿板部の回動をブロックする直立ブロックが設けられ、連結杆が座板部の下方まで延伸する。
【００１９】
本発明の少なくとも１つの実施形態によれば、直立ブロックは、連結杆の上面に直交する。
【００２０】
本発明の少なくとも１つの実施形態によれば、ベッド支持枠は、背板部、座板部及び座腿板部の下方、並びに腿板部及び足板部の周りに設けられ、且つ腿板部及び足板部と離間される。
【００２１】
本発明の少なくとも１つの実施形態によれば、ベッド支持枠の位置と、腿板部及び足板部の位置とは互いに揃っている。
【図面の簡単な説明】
【００２２】
添付する図面には、本発明の例示的な実施形態を示し、その説明とともに本発明の原理の解釈に用いられる。これらの図面は、本発明に対する理解のために提供されるものであり、本明細書に含まれて本明細書の一部を構成する。
【図１】本発明の少なくとも１つの実施形態に係る介護ベッドの床板配置の構造概略図である。
【図２】本発明の少なくとも１つの実施形態に係る介護ベッドの座腿板と腿板がシームレスに接続されるように下部でヒンジ接続される構造概略図である。
【図３】本発明の少なくとも１つの実施形態に係る介護ベッド座腿板と腿板が係止ブロックを設けて下部でヒンジ接続される構造概略図である。
【図４】本発明の少なくとも１つの実施形態に係る介護ベッドの腿上げ状態の構造概略図である。
【図５】本発明の少なくとも１つの実施形態に係る介護ベッドの腿上げ状態の他の構造概略図である。
【図６】本発明の少なくとも１つの実施形態に係る介護ベッドの足下げ状態の構造概略図である。
【図７】本発明の少なくとも１つの実施形態に係る介護ベッドの構造概略図である。
【図８】本発明の少なくとも１つの実施形態に係る介護ベッドの腿足板と足板がシームレスに接続されるように上部でヒンジ接続される構造概略図である。
【図９】本発明の少なくとも１つの実施形態に係る介護ベッドの腿足板と足板が係止ブロックを設けて上部でヒンジ接続される構造概略図である。
【図１０】本発明の少なくとも１つの実施形態に係る介護ベッドが腿上げ状態にある時の構造概略図である。
【図１１】本発明の少なくとも１つの実施形態に係る介護ベッドが足下げ状態にある時の構造概略図である。
【図１２】本発明の少なくとも１つの実施形態に係る介護ベッドの床板配置の構造概略図である。
【図１３】本発明の少なくとも１つの実施形態に係る介護ベッドが腿上げ状態にある時の構造概略図である。
【図１４】本発明の少なくとも１つの実施形態に係る介護ベッドが腿上げ状態にある時の構造概略図である。
【図１５】本発明の少なくとも１つの実施形態に係る介護ベッドの中心回転軸と右回転軸が接続される構造概略図である。
【図１６】本発明の少なくとも１つの実施形態に係る介護ベッドが腿下げ状態にある時の構造概略図である。
【図１７】本発明の少なくとも１つの実施形態に係る介護ベッドが腿下げ状態にある時の構造概略図である。
【図１８】本発明の少なくとも１つの実施形態に係る介護ベッドの構造概略図である。
【図１９】本発明の少なくとも１つの実施形態に係る起座時の滑り落ちを防止可能な腿上げ・下げベッドの構造概略図である。
【図２０】本発明の少なくとも１つの実施形態に係る起座時の滑り落ちを防止可能な腿上げ・下げベッドの動作状態の概略図である。
【図２１】本発明の少なくとも１つの実施形態に係る起座時の滑り落ちを防止可能な腿上げ・下げベッドの構造概略図である。
【図２２】本発明の少なくとも１つの実施形態に係る起座時の滑り落ちを防止可能な腿上げ・下げベッドの動作状態の概略図である。
【図２３】本発明の少なくとも１つの実施形態に係る起座時の滑り落ちを防止可能な腿上げ・下げベッドの構造概略図である。
【図２４】本発明の少なくとも１つの実施形態に係る起座時の滑り落ちを防止可能な腿上げ・下げベッドの動作状態の概略図である。
【図２５】本発明の少なくとも１つの実施形態に係る起座時の滑り落ちを防止可能な腿上げ・下げベッドの構造概略図である。
【図２６】本発明の少なくとも１つの実施形態に係る起座時の滑り落ちを防止可能な腿上げ・下げベッドの動作状態の概略図である。
【発明を実施するための形態】
【００２３】
以下、図面及び実施形態を参照しながら本発明をさらに詳しく説明する。理解できるように、ここの具体的な実施形態は、関連する内容を解釈するものに過ぎず、本発明を限定するものではない。なお、説明の便宜上、図面には本発明と関連する部分のみが示されている。
【００２４】
なお、矛盾しない限り、本発明の実施形態及び実施形態における特徴は互いに組み合わせることができる。以下、図面及び実施形態を参照しながら本発明を説明する。
【００２５】
本発明の少なくとも１つの実施形態において、本発明は、背板部、座板部、座腿板部、腿板部及び足板部を含み、背板部、座板部、座腿板部、及び座板部に固定接続されたベッド支持枠が設けられ、ベッド支持枠における座腿板部の下方に対応する位置に設けられた回転軸、及び一端が回転軸に枢動可能に接続され、他端が足板の下面に可動に接続された連杆が設けられる介護ベッドを提供しする。
【００２６】
図１は、本発明の少なくとも１つの実施形態に係る介護ベッドの床板の配置構造の概略図である。図１に示すように、前記介護ベッドは、順に設けられた背板１、座板２、座腿板３、腿板４及び足板６を含む。背板１、座板２及び座腿板３は、ベッド支持枠７の上に設けられ、座板２がベッド支持枠７に固定接続される。背板１と座板２、座板２と座腿板３、及び腿板４と足板６は、いずれもヒンジ８を介して接続される。ベッド支持枠７には、座腿板３の下方に対応する部位に回転軸１０が設けられる。連杆１１は、一端が回転軸１０に枢動可能に接続され、他端が足板６の下面に可動に接続される。
【００２７】
図１には、ベッド支持枠７は、背板１、座板２及び座腿板３の下方のみに設けられることが示されたが、本発明のいくつかの実施形態において、ベッド支持枠７は、背板１、座板２及び座腿板３の下方以外、腿板４及び足板６の周りに設けられてもよい。ベッド支持枠７は、腿板４及び足板６と離間されてもよい。１つの具体的な実施形態において、ベッド支持枠７の位置と、腿板４及び足板６の位置とは互いに揃っていてもよい。これによって、腿板４及び足板６の自由落下が保証されるとともに、介護ベッドの安定性が向上する。
【００２８】
図２に示すように、本発明のいくつかの実施形態によれば、座腿板３と腿板４は、シームレスに接続されるように、ヒンジ８を介して下部で接続されてもよい。
【００２９】
図３に示すように、本発明のいくつかの他の実施形態によれば、座腿板３と腿板４との間に十分な隙間が空けられてもよい。この隙間にはヒンジ８及び係止ブロック９が設けられ、ヒンジ８が隙間の下部に設けられる。係止ブロック９は、座腿板３及び腿板４の少なくとも一方に設けられてもよい。手挟みを効果的に防止し、医療機器の安全規制を満たすために、係止ブロック９がベッド縁から離れるように設けられる必要がある。
【００３０】
図４は、本発明のいくつかの実施形態に係る介護ベッドの腿上げ状態の構造概略図である。図４に示すように、腿上げの際に、連杆１１の一端が回転軸１０の周りに回転すると同時に、連杆１１の他端が足板６の下で第１位置まで移動することにより、座腿板３は立ち上げられて傾斜状態となり、腿板４及び足板６は水平状態となる。この時、比較的狭い座板２が人体の臀部のみの着座を受け入れ、人体の重量がほとんど座腿板３に作用することにより、腿部が効果的に押し上げられるとともに、使用者の快適さが向上する。
【００３１】
図５は、本発明のいくつかの実施形態に係る介護ベッドの別の腿上げ状態の構造概略図である。如図５に示すように、腿上げの際に、連杆１１の一端が転軸１０の周りに回転すると同時に、連杆１１の他端が足板６の下で第２位置まで移動することにより、座腿板３と腿板４は同時に立ち上げられて傾斜状態となり、足板６は水平状態となる。座腿板３と腿板４は、図２又は図３に示される方式で接続されることにより、座腿板３と腿板４が同一平面にあることが確保される。この時、比較的狭い座板２が人体の臀部のみの着座を受け入れ、人体の重量がほとんど座腿板３及び腿板４に作用することにより、快適さに影響を与えることなく、腿部を図４の状態より高く上げることができる。
【００３２】
図６は、本発明のいくつかの実施形態に係る介護ベッドの足下げ状態の構造概略図である。図６に示すように、腿下げの際に、座板２及び座腿板３は両方ともベッド支持枠７に保持され、腿板４は落下して傾斜又は垂直状態となり、足板６は水平状態となる。この時、座板２及び座腿板３は、同時に人体の臀部の着座を受け入れることにより、十分な座席幅が保証され、理想的な腿下げの高さが達成され、人間工学的要求が満たされ、患者の着座の快適さが保証される。
【００３３】
図７は、本発明のいくつかの実施形態に係る介護ベッドの構造概略図である。図７に示すように、前記介護ベッドは、順に設けられた背板１、座板２、座腿板３、腿板４、腿足板５及び足板６を含む。背板１、座板２及び座腿板３は、ベッド支持枠７の上に設けられ、座板２とベッド支持枠７が固定接続される。各板はヒンジ８を介して接続される。ベッド支持枠７には、座腿板３の下方に対応する位置に回転軸１０が設けられる。連杆１１は、一端が回転軸１０に枢動可能に接続され、他端が足板６の下面に可動に接続される。
【００３４】
図７には、ベッド支持枠７が背板１、座板２及び座腿板３の下方のみに設けられることが示されたが、本発明のいくつかの実施形態において、ベッド支持枠７は、背板１、座板２及び座腿板３の下方以外、腿板４、腿足板５及び足板６の周りに設けられてもよい。ベッド支持枠７は、腿板４、腿足板５及び足板６と離間されてもよい。１つの具体的な実施形態において、ベッド支持枠７の位置と、腿板４、腿足板５及び足板６の位置とは互いに揃っていてもよい。これによって、腿板４、腿足板５及び足板６の自由落下が保証されるとともに、介護ベッドの安定性が向上する。
【００３５】
本発明のいくつかの実施形態によれば、図２に示すように、介護ベッドの座腿板３と腿板４は、シームレスに接続されるように、ヒンジ８を介して下部で接続されてもよい。図２と同様に、腿板４と腿足板５は、シームレスに接続されるように、ヒンジ８を介して下部で接続されてもよい。図８に示すように、腿足板５と足板６は、シームレスに接続されるように、ヒンジ８を介して上部で接続されてもよい。
【００３６】
本発明のいくつかの他の実施形態によれば、図３に示すように、座腿板３と腿板４の間に十分な隙間が空けられてもよい。この場合、この隙間にヒンジ８及び係止ブロック９が設けられ、ヒンジ８が隙間の下部に設けられる。係止ブロック９は、座腿板３及び腿板４の少なくとも一方に設けられてもよい。図３と同様に、腿板４と腿足板５の間には隙間が空けられてもよい。この場合、隙間にヒンジ８及び係止ブロック９が設けられ、ヒンジ８が隙間の下部に設けられる。係止ブロック９は、腿板４及び腿足板５の少なくとも一方に設けられてもよい。図９に示すように、腿足板５と足板６の間には有隙間が空けられてもよい。この場合、隙間にヒンジ８及び係止ブロック９が設けられ、ヒンジ８が隙間の上部に設けられる。係止ブロック９は、腿足板５及び足板６の少なくとも一方に設けられてもよい。手挟みを効果的に防止し、医療機器の安全規制を満たすために、係止ブロック９がベッド縁から離れるように設けられる必要がある。
【００３７】
図１０は、本発明のいくつかの実施形態に係る介護ベッドが腿上げ状態にある時の構造概略図である。図１０に示すように、腿上げの際に、連杆１１の一端が回転軸１０の周りに回転すると同時に、他端が足板６の下で移動することによって、座腿板３及び腿板４は同時に立ち上げられて傾斜状態になり、腿足板５及び足板６は水平状態となる。座腿板３と腿板４は、図２又は図３に示される方式で接続されることで、座腿板３と腿板４が同一平面にあることが確保される。同様に、腿足板５と足板６は、図８又は図９に示される方式で接続されることで、腿足板５と足板６が同一平面にあることが確保される。この時、比較的狭い座板２は、人体の臀部のみの着座を受け入れ、人体の重量がほとんど座腿板３及び腿板４に作用することによって、腿部が効果的に押し上げられるとともに、使用者の快適さが向上する。
【００３８】
図１１は、本発明のいくつかの実施形態に係る介護ベッドが足下げ状態にある時の構造概略図である。図１１に示すように、腿下げの際に、座板２及び座腿板３は両方ともベッド支持枠７に保持され、腿板４及び腿足板５は同時に落下して傾斜又は垂直状態となり、足板６は水平状態となる。腿板４と腿足板５は、図２又は図３に示される方式で接続されることで、腿板４と腿足板５が同一平面にあることが確保される。この時、座板２及び座腿板３は、同時に人体の臀部の着座を受け入れることにより、十分な座席幅が保証され、理想的な腿下げの高さが達成され、人間工学的要求が満たされ、患者の着座の快適さが保証される。
【００３９】
図１２は、本発明の少なくとも１つの実施形態に係る介護ベッドの床板配置構造の概略図である。図１２及び１３に示すように、この介護ベッドは、中心腿板１４、左腿板２４及び右腿板３４を含み、左腿板２４及び右腿板３４が中心腿板１４の両側に対称に配置される。この介護ベッドは、中心腿足板１５、左腿足板２５及び右腿足板３５をさらに含み、左腿足板２５及び右腿足板３５が中心腿足板１５の両側に対称に配置される。この介護ベッドは、中心足板１６、左足板２６及び右足板３６をさらに含み、左足板２６及び右足板３６が中心足板１６の両側に対称に配置される。この介護ベッドは、中心連杆１１１をさらに含み、回転軸１０は、中心回転軸１１０を含む。中心連杆１１１の一端は、中心回転軸１１０に枢動可能に接続され、中心連杆１１１は、中心足板１６の下面に可動に接続される。中心腿板１４、中心腿足板１５及び中心足板１６の幅は、約４００ｍｍ−６００ｍｍである。他の部分の配置及び接続方式は、図７に示される実施形態と同様である。このような設計により、図１又は図７と比較して、ベッド支持枠７が長くなり、ベッド構造の堅牢性及び安定性が向上し、介護ベッドの足下げ機能の達成が確保される。
【００４０】
図１３に示すように、本発明の他の実施形態によれば、中心足板１６の下面の両側のそれぞれには、左足板２６及び右足板３６が中心足板１６と同時に立ち上げられるように、左足板２６及び右足板３６まで延伸する支持バー３７が設けられてもよい。
【００４１】
図１４に示すように、本発明の他の実施形態によれば、左足板２６の下面には、左連杆２１１が設けられてもよい。この場合、左連杆２１１の一端が左足板２６の下面に可動に接続され、ベッド支持枠７に中心回転軸１１０と同心に接続された左回転軸２１０が設けられ、左連杆２１１の他端が左回転軸２１０に枢動可能に接続される。右足板３６の下面には、右連杆３１１が設けられてもよい。この場合、右連杆３１１の一端が右足板３６の下面に可動に接続され、ベッド支持枠７に中心回転軸１１０と同心に接続された右回転軸３１０が設けられ、右連杆３１１の他端が右回転軸３１０に枢動可能に接続される。図１５に示すように、中心回転軸１１０の２つの端面、左回転軸２１０の右端面及び右回転軸３１０の左端面には、それぞれ凸歯及び凹溝が設けられる。これによって、中心回転軸１１０、左回転軸２１０及び右回転軸３１０は凸歯及び凹溝を介して同心に接続される。
【００４２】
図１３に戻る。図１３は、本発明のいくつかの実施形態に係る介護ベッドが腿上げ状態にある時の構造概略図である。図１３に示すように、腿上げの際に、中心連杆１１１の一端が中心回転軸１１０の周りに回転すると同時に、中心連杆１１１の他端が中心足板１６の下面で移動することにより、座腿板３、中心腿板１４、左腿板２４及び右腿板３４は同時に立ち上げられて傾斜状態となり、中心腿足板１５、左腿足板２５、右腿足板３５、中心足板１６、左足板２６と右足板３６が水平状態となる。座腿板３と中心腿板１４は図２又は図３と類似する方式で接続されることにより、座腿板３と中心腿板１４が同一平面にあることが確保される。同様に、中心腿足板１５と中心足板１６が図８又は図９と類似する方式で接続されることにより、腿足板５と足板６が同一平面にあることが確保される。また、中心足板１６の下面に設けられた２つの支持バー３７により、左足板２６及び右足板３６は中心足板１６と同時に立ち上げられることが可能である。この場合、比較的狭い座板２は人体の臀部のみの着落を受け入れ、人体の重量はほとんど座腿板３、中心腿板１４、左腿板２４及び右腿板３４に作用することにより、腿部が効果的に押し上げられるとともに、使用者の快適さが向上する。
【００４３】
図１４に示すように、中心足板１６の下面に設けられた２つの支持バー３７は、左足板２６の下面に設けられた左連杆２１１及び右足板３６の下面に設けられた右連杆３１１に置き換えられた。このような設計によりも、左足板２６及び右足板３６が中心足板１６と同時に立ち上げられることが保証され得る。他の部分の状態は、図１３と同様であるため、説明を省略する。
【００４４】
図１６は、本発明のいくつかの実施形態に係る介護ベッドが足下げ状態にある時の構造概略図である。図１６に示すように、腿下げの際に、座板２、座腿板３、左腿板２４、右腿板３４、左腿足板２５、右腿足板３５、左足板２６及び右足板３６は、いずれもベッド支持枠７に保持され、中心腿板１４と中心腿足板１５は同時に落下して傾斜又は垂直状態となり、中心足板１６は水平状態となる。中心腿板１４と中心腿足板１５は、図２又は図３に示される方式で接続されることにより、中心腿板１４と中心腿足板１５が同一平面にあることが確保される。この場合、座板２及び座腿板３は共に人体の臀部の着落を受け入れることにより、十分な座席幅が保証され、理想的な腿下げの高さが達成され、人間工学的要求が満たされ、患者の着座の快適さが保証される。
【００４５】
図１７は、本発明のいくつかの他の実施形態に係る腿下げ状態にある介護ベッドの構造概略図である。図１７に示すように、座板２は、中心座板４０、左腿板４１及び右腿板４５を含む。左腿板４１及び右腿板４５は、中心座板の両側に対称に配置される。座腿板３は、中心座腿板４２、左座腿板４３及び右座腿板４６を含む。左座腿板４３及び右座腿板４６は、中心座腿板４２の両側に対称に配置される。他の部分の配置及び接続方式は図１２に示される実施形態と同様である。図１７に示すように、中心座板４０の下方及び中心足板１６の下方にはホイールが設けられているため、図１７に示される介護ベッドは車椅として使用され得る。これによって、介護ベッドの使用範囲は広がっている。
【００４６】
図１８は、本発明の少なくとも１つの実施形態に係る介護ベッドの構造概略図である。図１８に示すように、背板１、座板２、座腿板３、腿板４、腿足板５及び足板６は、ベッド支持枠７に取り囲まれている。
【００４７】
以下、図１９から図２２を参照しながら本発明のいくつかの実施形態に係る起座時の滑り落ちを防止可能な介護ベッドを説明する。座腿部２００は、完全なプレートであってもよく、即ち、座板と座腿板が一体に形成されてもよい。座腿部２００の背板１に近い端部は、ベッド支持枠７の上面にヒンジ接続される。背板１の座腿部２００に近い端部は、ベッド支持枠７の上面にヒンジ接続されるか、又は座腿部２００にヒンジ接続される。腿板４の座腿部２００に近い端部は、ベッド支持枠７にヒンジ接続される。背板１の前端には、背板１の下面に枢動可能に接続された水平連杆２１が対称に設けられ、水平連杆２１と垂直連杆２３が可動に接続され、垂直連杆２３とベッド支持枠７が回転可能に接続され、垂直連杆２３の上端にホイール２２が設けられる。背板１が立ち上げられる際に、水平連杆２１により垂直連杆２３が回転するように引っ張られ、ホイール２２が座腿部２００の下面に付勢する。図１９から図２２にホイール２２が示されているが、当業者であれば、他の方式により垂直連杆２３と座腿部２００の下面との摺動接続を実現することができ、本発明はこれに限定されない。いくつかの実施形態において、背板１の座腿部２００に隣接する端部に、それぞれの支持軸２２４を回転中心とする互いに連動するギア部２２５が設けられてもよい。具体的な実施形態において、互いに連動するギア部２２５は、ギアに類似する作用を有するトグル部であってもよい。
【００４８】
図１９から図２２にベッド支持枠７が背板１、座腿部２００、腿板４及び足板の下方に設けられることが示されているが、本発明のいくつかの実施形態において、ベッド支持枠７は、背板１及び座腿部２００の下方、並びに腿板４及び足板の周りにあり、且つ腿板４及び足板と離間するように設けられてもよい。具体的な実施形態において、ベッド支持枠７の位置と、腿板４及び足板の位置とは互いに揃っていてもよい。
【００４９】
以下、図２３から図２６を参照しながら本発明のいくつかの他の実施形態に係る起座時の滑り落ちを防止可能な介護ベッドを説明する。介護ベッドは、座板２２６及び座腿板２７を含む。座板２２６と座腿板２７は、シームレスに接続されるように、又は隙間を空けて接続されるように、上部でヒンジ接続され得る。座板２２６と座腿板２７が隙間を空けて接続される場合に、隙間に係止ブロック９が設けられる。係止ブロック９は、座板２２６と座腿板２７の対向する側面の少なくとも一方にある。座板２２６の背板１に近い端部の下面は、ベッド支持枠７の上面にヒンジ接続される。背板１の座板２２６に近い端部は、ベッド支持枠７の上面にヒンジ接続されるか、又は座板２２６にヒンジ接続される。腿板４は、連結杆１３の一端にヒンジ接続され、連結杆１３の他端は、ベッド支持枠７の上面にヒンジ接続される。連結杆１３の腿板４にヒンジ接続された端部に直立ブロック２９が設けられる。背板１の前端に背板１の下面に枢動可能に接続された水平連杆２１が対称に設けられ、水平連杆２１と垂直連杆２３が可動に接続され、垂直連杆２３とベッド支持枠７が回転可能に接続され、垂直連杆２３の上端にホイール２２が設けられる。図２３から図２６にホイール２２が示されたが、当業者であれば、他の方式で垂直連杆２３と座腿板２７の下面との摺動接続を実現することができるため、本発明はこれに限定されない。背板１が立ち上げられ、水平連杆２１により垂直連杆２３が回転するように引っ張られる際に、ホイール２２は、座腿板２７の下面に付勢する。いくつかの実施形態において、背板１の座板２２６に隣接する端部に、それぞれの支持軸２２４を回転中心とする互いに連動するギア部２２５が設けられてもよい。具体的な実施形態において、互いに連動するギア部２２５は、ギアに類似する作用を有するトグル部１０であってもよい。
【００５０】
図２３から図２６には、ベッド支持枠７が背板１、座板２２６、座腿板２７、腿板４、腿足板及び足板の下方に設けられているが、本発明のいくつかの実施形態において、ベッド支持枠７は、背板１、座板２２６及び座腿板２７の下方、並びに腿板４、腿足板及び足板の周りにあり、且つ腿板４、腿足板及び足板と離間されてもよい。具体的な実施形態において、ベッド支持枠７の位置と、腿板４、腿足板及び足板の位置とは互いに揃っていてもよい。
【００５１】
前記構造によれば、背板が立ち上げられる際に、水平連杆２１、垂直連杆２３及びホイール２２により座腿部２００が立ち上げられることが保証される。いくつかの実施形態において、互いに連動するギア部２２５は、背板１の立ち上げにより座腿部２００又は座板２２６の立ち上げを駆動してもよい。腿板４がベッド支持枠７のみに接続されるため、座腿部２００の立ち上げが腿板４の落下に影響を与えないので、使用者は健康な姿で正坐することができるとともに、腿板４は平面状態においても立ち上げられ得る。介護ベッドが座板２２６及び座腿板２７を含む場合、腿板４に接続された連結杆１３での直立ブロック２９により、腿板４はまず水平状態まで立ち上げられ、立ち上げられ続ける必要がある場合、連結杆１３は、座腿板２７と腿板４を同時に立ち上げることができることにより、人体の上腿は効果的に押し上げられる。背上げ状態で立ち上げられることにより、人体の重量が背板１、座腿板２７及び腿板４に作用し、臀部に力が加わらないことが保証され、人間工学的要求が満たされる。当業者に理解できるように、図１９から図２６を参照しながら説明した内容では、関連する部材のみを説明しており、他の部材の説明を省略した。他の部材の詳細は、本発明の図１から図１８についての説明を参照されたい。
【００５２】
当業者に理解できるように、上記実施形態は、本発明を説明するためのものに過ぎず、本発明の範囲を限定するものではない。当業者であれば、上記開示に基づいて、他の変化又は変形を加えることができ、これらの変化又は変形は本発明の範囲内に含まれる。
【図１】
0006945007.tif 000002
【図２】
0006945007.tif 000003
【図３】
0006945007.tif 000004
【図４】
0006945007.tif 000005
【図５】
0006945007.tif 000006
【図６】
0006945007.tif 000007
【図７】
0006945007.tif 000008
【図８】
0006945007.tif 000009
【図９】
0006945007.tif 000010
【図１０】
0006945007.tif 000011
【図１１】
0006945007.tif 000012
【図１２】
0006945007.tif 000013
【図１３】
0006945007.tif 000014
【図１４】
0006945007.tif 000015
【図１５】
0006945007.tif 000016
【図１６】
0006945007.tif 000017
【図１７】
0006945007.tif 000018
【図１８】
0006945007.tif 000019
【図１９】
0006945007.tif 000020
【図２０】
0006945007.tif 000021
【図２１】
0006945007.tif 000022
【図２２】
0006945007.tif 000023
【図２３】
0006945007.tif 000024
【図２４】
0006945007.tif 000025
【図２５】
0006945007.tif 000026
【図２６】
0006945007.tif 000027